(57)【要約】  ピペット操作貯槽キットが、ベースと、使い捨て可能なライナと、蓋とを含む。使い捨て可能なライナは、ピペット先端の真空が吸引中に壁を係合するのを防止するために底壁に真空防止チャネルを含む。ライナの底面に配置される真空防止チャネルのグループは、液体試料又は試薬を保持するバシン内に上向きに面する。真空防止チャネルのグループは、３８４個のピペット操作ヘッドについてアレイ内で４．５ｍｍ離間させられ、９６個のピペット操作ヘッドについてアレイ内で９ｍｍ離間させられる。真空防止チャネルは、ライナについての所要作動容積を低下させ、液体廃棄物を減少させる。
2020523562.tif 000002
【特許請求の範囲】
【請求項１】
バシンを含む使い捨て可能な貯槽ライナであって、
前記バシンは、一対の端壁と、該端壁の間に延びる一対の長手方向の側壁と、前記端壁の下端と前記側壁の下端との間に亘る底壁とを含み、該底壁は、液体試料又は液体試薬を保持する容積に向かって上向きに露出させられる複数の真空防止チャネルを備える上面を有し、前記底壁は、ピペット先端のマトリックスが前記バシンから同時的に液体を吸引することを可能にするように構成される概ね四角形の形状を更に有する、
使い捨て可能な貯槽ライナ。
【請求項２】
前記ライナの前記底壁は、各グループの中心点が隣接するグループの中心点から９ｍｍ離間する、９６個のグループの真空防止チャネルのマトリックスを含むか、或いは、
前記ライナの前記底壁は、各グループの中心点が隣接するグループの中心点から４．５ｍｍ離間する、３８４個のグループの真空防止チャネルのマトリックスを含む、
請求項１に記載の使い捨て可能な貯槽ライナ。
【請求項３】
前記ライナの前記底壁は、各グループの中心点が隣接する９６個のグループの中心点から９ｍｍ離間する、９６個のグループの真空防止チャネルのマトリックスを含み、前記ライナの前記底壁は、各グループの中心点が隣接する３８４個のグループの中心点から４．５ｍｍ離間する、３８４個のグループの真空防止チャネルのマトリックスも含む、請求項１に記載の使い捨て可能な貯槽ライナ。
【請求項４】
前記９６個のグループの真空防止チャネルの各々は、３８４個の真空防止チャネルの４個のグループと１つ又はそれよりも多くのチャネルを共有する、請求項４に記載の使い捨て可能な貯槽ライナ。
【請求項５】
前記チャネルは、０．５０ｍｍ±０．１ｍｍの幅と、０．３ｍｍ±０．１ｍｍの深さとを有する、請求項４に記載の使い捨て可能な貯槽ライナ。
【請求項６】
前記ライナの前記底壁は、真空防止チャネルのグループを含み、各グループは、第１の対の垂直な交差するチャネルであって、チャネルの交差部が前記グループについての中心点を定める、第１の対の垂直な交差するチャネルと、該第１の対の垂直な交差するチャネルから４５°回転させられた、第２の対の垂直なチャネルとを含み、該第２の対のチャネルは、前記中心点で交差するように整列させられるが、前記中心点の近傍で中断され、任意的に、各グループについての前記真空防止チャネルは、前記第１の対のチャネル及び前記第２の対のチャネルのそれぞれのチャネルと交差する円形チャネルを更に含む、請求項１に記載の使い捨て可能な貯槽ライナ。
【請求項７】
前記ライナの前記底壁は、真空防止チャネルのグループを含み、追加的なチャネルが、隣接するグループの間に配置されて、真空防止チャネルの隣接するグループを流体力学的に接続する、請求項１乃至６のうちのいずれか１項に記載の使い捨て可能な貯槽ライナ。
【請求項８】
前記ライナの前記底壁は、真空防止チャネルのグループを含み、真空防止チャネルの隣接するグループの間にはチャネルが延在しない、請求項１乃至６のうちのいずれか１項に記載の使い捨て可能な貯槽ライナ。
【請求項９】
前記使い捨て可能ライナは、透明である、請求項１乃至８のうちのいずれか１項に記載の使い捨て可能な貯槽ライナ。
【請求項１０】
前記ライナは、成形ポリスチレン及びポリプロピレンのうちの１つで作られ、前記ライナは、前記ライナの前記底壁が、処理前の前記ライナの前記底壁と比較して、増大した湿潤性を有するように、コロナ処理され或いは他の方法で処理され、好ましくは、前記ライナの前記底壁の測定される表面張力が約７２ダイン以上であるように処理される、請求項１乃至９のうちのいずれか１項に記載の使い捨て可能な貯槽ライナ。
【請求項１１】
前記ライナは、成形ポリプロピレンで作られる、請求項１乃至１０のうちのいずれか１項に記載の使い捨て可能な貯槽ライナ。
【請求項１２】
前記ライナの前記底壁は、前記チャネルを除いて平坦である、請求項１乃至１１のうちのいずれか１項に記載の使い捨て可能な貯槽ライナ。
【請求項１３】
液体試料又は液体試薬を保持する実験室貯槽キットであって、
請求項１乃至１２のうちのいずれか１項に記載の使い捨て可能なライナと、
該使い捨て可能なライナを保持する再使用可能な貯槽ベースとを含み、
該再使用可能な貯槽ベースは、ＳＢＳフォーマットされたウェルプレート及び貯槽を保持するように構成されるネスト内に嵌入するような寸法にされる外壁フランジを有する、
実験室貯槽キット。
【請求項１４】
前記再使用可能な貯槽ベースは、一対の端壁と、該端壁の間の一対の長手方向の側壁と、前記端壁と前記長手方向の側壁との間に亘る一対の底壁とを有し、前記ライナは、前記ベースが前記貯槽ベース上に位置する前記ライナの前記底壁で前記使い捨て可能なライナのための安定した支持を提供するよう、前記ベース内に嵌入するように構成され、
前記使い捨て可能なライナは、前記ライナのバシンの頂部から外向きに延びる周縁フランジを更に含み、当該実験室貯槽キットは、取り外し可能な蓋、好ましくは、透明な蓋と、前記再使用可能な貯槽ベース上のロック機構とを更に含み、該ロック機構は、それらの間で前記ライナの前記周縁フランジを用いて前記蓋を前記ベースにロックする、
請求項１３に記載の実験室貯槽キット。
【請求項１５】
前記再使用可能な貯槽ベースのる少なくとも１つの側壁は、前記バシンの一部を形成する前記側壁の表面に明確な液体容積目盛りマークを有し、
前記使い捨て可能なライナは、透明なプラスチック材料で作られ、前記再使用可能なベースの前記バシンの輪郭に密接に従う形状を有し、
前記バシンの前記側壁にある前記液体容積目盛りマークは、前記使い捨て可能なライナに収容される液体試料の容積を測定するよう較正され、前記使い捨て可能なライナが前記再使用可能なベース内の所定の場所に設置されるときに観察可能である、
請求項１３又は１４に記載の実験室貯槽キット。
【発明の詳細な説明】
【技術分野】
【０００１】
本発明は、臨床及び研究用の実験室製品(laboratory  products)に関し、特に、実験室貯槽キット(laboratory  reservoir  kits)及び液体試料及び試薬用のライナ(liners)に関する。
【背景技術】
【０００２】
自動化及び半自動化された液体処理システム(liquid  handling  systems)は、しばしば、９６個又は３８４個の使い捨て可能なピペット先端(pipette  tips)用のピペット操作ヘッド(pipetting  heads)を含む。９６個のピペット操作ヘッドは、８×１２個の先端取付けシャフトのアレイを有し、隣接するシャフト間の中心線の間隔は９ｍｍである。３８４個のピペット操作ヘッドは、１６×２４個の取付けシャフトのアレイを有し、隣接するシャフト間の中心線の間隔は４．５ｍｍである。間隔は（以前はＳＢＳフォーマットとして知られていた）ＡＮＳＩ／ＳＬＡＳマイクロプレート規格によって設定される。米国規格協会／実験室自動化及びスクリーニング協会（ＡＮＳＩ／ＳＬＡＳ）は、マイクロプレート(microplates)についての規格寸法を採用している。
ＡＮＳＩ／ＳＬＡＳ１−２００４：マイクロプレート−フットプリント寸法
ＡＮＳＩ／ＳＬＡＳ２−２００４：マイクロプレート−高さ寸法
ＡＮＳＩ／ＳＬＡＳ３−２００４：マイクロプレート−底外側フランジ寸法
ＡＮＳＩ／ＳＬＡＳ４−２００４：マイクロプレート−ウェル位置
ＡＮＳＩ／ＳＬＡＳ６−２０１２：マイクロプレート−ウェル底高さ
【０００３】
これらの規格は、異なる製造業者からのプラスチック消耗製品を備える自動化された液体処理機器の使用を容易にするために開発された。２４個のピペット操作ヘッドのようなより少ない取付けシャフト又は１５３６個のピペット操作ヘッドのようなより多くの取付けシャフトのマトリックス(matrix)を有する自動化又は半自動化された液体処理システムも現場で使用されるが、最も一般的なものは９６個及び３８４個のヘッドである。これらの自動化又は半自動化された液体処理システムは、典型的には、ピペット操作ヘッドの下に配置されるプラットフォームを用いて設計され、プラットフォームは、マイクロプレート、マイクロチューブ(microtubes)のラック、又は試料若しくは試薬を保持する貯槽のための１つ又はそれよりも多くのネスティング場所(nesting  locations)を含む。当技術分野において、マイクロプレートは、ウェルプレート(well plates)と呼ばれることがあり、マイクロチューブは、試料チューブと呼ばれることがある。ネストは、９６個又は３８４個のピペット先端のそれぞれをプラットフォーム上のマイクロプレート内のそれぞれのウェル(井戸部)(wells)の中心点と整列させるために、ＳＢＳ規格（現在はＡＮＳＩ／ＳＬＡＳ）用のマイクロプレートの外形寸法に従ったサイズにされる。
【０００４】
上述のように、試料又は試薬を保持するための実験室貯槽をネスト内のプラットフォーム上に配置することもできる。貯槽は、典型的には、個々のウェルの代わりに共通のバシン(窪地部)(basin)を有し、液体中断(液体ハングアップ)(liquid  hang-up)を減少させるために平坦な底又はパターン化された底のいずれかを有することが知られている。新しい処置を開始する前に貯槽を洗浄及び／又は滅菌する必要を回避するために使い捨て可能な貯槽ライナを使用することも知られている。多くの貯槽及びライナは、天然に疎水性であるポリスチレンで作られる。疎水性表面は、最終吸引中に液体をビーズ状にさせ(bead  up)、それは液体ピックアップを容易にして、残留容積を減少させると概ね考えられている。
【０００５】
自動化又は半自動化された９６個又は３８４個のヘッドシステム上の使い捨て可能な貯槽ライナの使用に伴って生じることが見出された１つの問題は、ピペットヘッドが下げられるときに、取り付けられるピペット先端の１つ又はそれよりも多くがライナ底の表面と係合する場合があることである。ヘッドがライナを吸引し、ライナを先端の底にあるオリフィスに対して緊密に引くとき、ライナ底の表面と係合させられるピペット先端は、残念ながら、先端内に真空を作り得る。先端内の真空は、吸引が継続するにつれて増加し、オリフィスは、最終的に閉鎖される。この状況は、不正確なピペット操作につながり得るが、深刻な問題であるピペット操作ヘッドの汚染にもつながり得る。ライナ底と真空係合されるピペット先端が解放すると、有意な圧力差によって今や駆動される試薬又は試料は、しばしば、ピペット先端及び取付けシャフトを越えてそれぞれのピストンシリンダ内に上向きに噴霧する。これが起こるならば、ピペットヘッド全体を分解、洗浄、減菌することが必要な場合がある。
【０００６】
ライナからの全ての液体を完全に吸引しようとするときには、ライナ内の残留容積又は液体中断を減少させることがしばしば望ましい。この目的を達成するために、ピペット先端は、典型的には、吸引し得ない液体の残留容積を減少させるために、可能な限り合理的に底壁に接触することなくライナの底壁に近接して下げられる。マルチチャネルピペット操作システムでは、ピペット操作ヘッドの高さを精密に制御し得る自動化されたマルチチャネルシステムでさえも、１つ又はそれよりも多くのピペット先端オリフィスが、他の先端オリフィスと整列させられなくなり得る。何故ならば、例えば、ピペット先端は、誤って取り付けられたり、変形させられたりするからである。先端の不整列は、底壁に係合して真空を形成する先端につながり得る。たとえ全てのピペット先端が適切に整列させられるとしても、ピペット先端の場所に対応するライナの底壁の部分が、ピペット先端オリフィスと平面レベルで精密に整列されないことが可能である。この種の不均一性は、例えば、ライナが貯槽ベース内に完全に位置しないか或いは僅かに変形させられるときに起こり得るし、容器から最終容積を吸引しようとするときに底壁と係合する１つ又はそれよりも多くのピペット先端にもつながり得る。
【発明の概要】
【０００７】
本発明は、主として、実験室貯槽キット(laboratory  reservoir  kits)において使用される使い捨て可能な貯槽ライナ(reservoir  liner)の底壁への真空防止チャネル(anti-vacuum
channels)の配置に関する。
【０００８】
１つの態様において、本発明は、使い捨て可能なライナの構成に向けられている。別の態様において、本発明は、再使用可能な貯槽ベース内に保持される使い捨て可能なライナを含むキットの構成に向けられている。使い捨て型ライナ及び再使用可能な貯槽ベースは、ライナがベースに嵌入して、貯槽ベース上に位置するライナの底壁でライナのための安定に支持を提供するように設計される。使い捨て可能なライナは、特に、ピペット先端がライナバシン(窪地部)(basin)の底壁と真空係合するのを防止するように構成される。これを行うために、ライナバシンの底壁の上面は、液体試料又は液体試薬が保持される容積に向かって上向きに面する複数の真空防止チャネルを含む。底壁は、ピペット先端のマトリックスがライナバシンの容積から液体を吸引するのを可能にするように構成された、概ね四角形の形状を有する。真空防止チャネルの目的は、たとえピペット先端がライナの底壁の上面に押し付けられるとしても、ピペット先端のオリフィスの下に流体アクセス可能な空隙を提供することである。真空防止チャネルを使用すること及びライナの底壁を直線又は平坦に維持することも、真空チャネルのないライナと比較して、９６個又は３８４個の先端ピペット操作ヘッドを用いてライナから液体を完全に吸引しようとするときにライナ内に残存する液体の残留容積を概ね減少させることが見出された。
【０００９】
１つの実施形態において、ライナは、上記で議論したように疎水性であると一般的に考えられる成形ポリスチレンで作られる。しかしながら、底壁をより親水性にするために、ポリスチレンライナを真空防止チャネルでコロナ処理することは、９６個又は３８４個の先端ピペット操作ヘッドで液体を完全に吸引しようとするときにライナ内に残存する残留容量を更に減少させることが見出された。コロナ処理は、ライナの底壁の測定される表面張力を、天然水の表面張力である約７２ダイン以上にするのに十分であることが好ましい。別の実施形態において、ライナは、成形ポリプロピレンで作られる。この実施形態は、耐薬品性がより重要である用途に特に有用である。しかしながら、ポリスチレンは、ポリプロピレンよりも剛的(stiffer)であるが、それはしばしば実験室において有益である。
【００１０】
望ましくは、再使用可能な貯槽ベースは、ＳＢＳフォーマットされたウェルプレート(井戸部プレート)(well  plates)及び貯槽を保持するように構成されたネストと適合する外側フランジ寸法(outside  flange  dimensions)（即ち、ＡＮＳＩ／ＳＬＡＳ  ３−２００４：マイクロプレート−底部外側フランジ寸法(Bottom  Outside  Flange  Dimensions)）を有する。貯槽が９６個のピペット操作ヘッドと共に使用されるように作られるならば、使い捨て可能なライナは、ＳＢＳ（ＡＮＳＩ／ＳＬＡＳ）フォーマットと一致して、隣接するグループの中心点から９ｍｍ離間する各グループについて中心点を備える真空防止チャネルの９６個のグループのマトリックス(matrix)を含む。使い捨て可能なライナが３８４個のピペット操作ヘッドと共に使用されるように設計されるならば、ライナは、望ましくは、やはりＳＢＳフォーマットと一致して、隣接するグループ分けの中心点から４．５ｍｍ離間する各グループについての中心点を備える真空防止チャネルの３８４個のグループのマトリックスを含む。ライナの意図される用途に依存して、使い捨て可能なライナをより多くの又はより少ないグループで作ることもできる。しかしながら、いずれの場合においても、グループは、ピペットヘッド上のピペット先端が配置されることが予期される中心点に中心化されなければならない。幾つかの実施態様において、ライナは、９ｍｍ離間する隣接する中心点を備える真空防止チャネルの９６個のグループのマトリックスと、４．５ｍｍ離間する中心点を備える真空防止チャネルの３８４個のグループのマトリックスとを含む。このようにして、ライナは、９６個のピペット操作ヘッド又は３８４個のピペット操作ヘッドの両方と共に使用されるように構成される。
【００１１】
真空防止チャネルのグループは、本発明に従った様々な構成を取ることができる。目標は、ピペット先端が中心から幾分外れるとしても、それぞれのピペット先端のオリフィスの下に流体アクセス可能な空隙を提供するチャネル構成を提供することであり、ピペット先端が中心から幾分外れることは、例えば、ピペット先端が直線的に取り付けられないとき又は先端が僅かに変形させられるときに、自動ピペット操作システムにおいて起こり得る。１つの所望のグループ構成は、垂直な交差するチャネルの第１のペアであって、チャネルの交差がグループについての中心点を定める垂直な交差するチャネルの第１のペアと、第１のペアから４５°回転された垂直なチャネルの第２のペアとを含み、チャネルの第２のペアは、中心点で交差するように整列させられるが、中心点の近傍で中断される。チャネルは、一定の幅（確実な成形のために要求される所要のドラフト角を除く）及び一定の深さを有することが望ましく、チャネルの幅は、交差部を横切る距離が、そのライナと共に使用される可能性が高い最小サイズのピペット先端の外側オリフィス直径よりも小さくなるように、選択されることが望ましい。例えば、１２．５μｌのピペット先端が０．６１ｍｍの外側オリフィス直径を有するならば、ピペット先端の遠位端が交差部でチャネルに嵌入し得ないことを確実にするために、チャネルの幅は、約０．５０ｍｍ以下でなければならない。３８４個の用途について、上述のグループ構成を使用する所望のチャネル幅は、０．５０ｍｍ±０．１０ｍｍである。９６個のヘッド用途について、所望の幅は、同様に０．５０ｍｍ±０．１０ｍｍである。ピペット先端がどのように取り付けられるか或いはどのように構成されるかの故にピペット先端オリフィスが中心から外れている事態において又はそれが手持ち式のピペットと共に使用される事態において、真空防止空隙によって覆われるより大きな領域を提供するために、グループは、グループの周縁に向かって中心点から離れて配置される他のチャネルを有してもよい。底壁上のチャネルによるより大きな被覆範囲を提供することも、液体がピペット先端によって吸引されるときに、周縁液体がグループのチャネル内に引き込まれる、より高い可能性を生み、それは、ひいては、死容積又は残留容積を減少させる傾向を有し、他の要因は等しい。１つの実施形態では、円形チャネルが、第１及び第２のペアのチャネルのそれぞれと交差する。
【００１２】
幾つかの実施形態では、追加的なチャネルが、隣接するグループの間に配置されて、真空防止チャネルの隣接するグループを流体動力学的に接続する。図に示す実施形態のような他の実施形態では、真空防止チャネルの隣接するグループの間にチャネルが延在しない。
【００１３】
開示の実施形態において、使い捨て可能なライナの底壁は、他の場合には平坦であり、真空防止チャネルのグループは、９６個のピペット操作ヘッド若しくは３８４個のピペット操作ヘッド構成のいずれか又は両方のために中心点に配置される。使い捨て可能なライナは、望ましくは、上述のような透明な成形ポリスチレン又はポリプロピレンのような、透明なプラスチック材料で作られ、部分的には、ベースの側壁にある液体容積目盛りマークを見るのを容易にするために、再使用可能なベースのバシンの輪郭に密接に従う形状を有する。また、望ましくは、再使用可能な貯槽ベースの側壁は、バシンの一部を形成する側壁の表面に明確な液体容積目盛りマークを有する。これらの液体容積目盛りマークは、透明な使い捨て可能なライナに含まれる液体サンプルの容積を測定するために較正され、使い捨て可能なライナが再使用可能なベース内に配置されたときに観察可能である。更に、ユーザが使い捨て可能なライナに含まれる液体の量を容易に見ることができるように、再使用可能なベースの１つ又はそれよりも多くの側面は、１つ又はそれよりも多くの視認窓(viewing  windows)を含んでよい。視認窓は、狭い窓であることができ、或いは、視認窓は、ベースが使い捨て可能なライナのための十分な支持を依然として有する限り、比較的広くあることができる。
【００１４】
幾つかの実施形態において、実験室貯槽キットは、再使用可能なベース内に配置されるライナに収容される液体を覆う蓋を含む。蓋が所定の場所に掛けられるときに、収容される液体又は試薬の視認を容易にするために、蓋が透明であることが好ましい。任意的に、蓋の上にガスケットを設け、貯槽ベース上のロック機構を使用して、蓋を所定の場所にロックし、ライナを蓋の上のガスケットとベースとの間に固定して、収容される液体を封止する。蓋は、好ましくは、取り付けられる蓋とのキットの積重ねを容易にするようにも構成される。ロック機構を使用して、蓋が取り外されるときに使用中にライナを所定の場所に保持することもできる。
【００１５】
有利には、使い捨て可能なライナの底壁上の真空防止チャネルの使用は、たとえピペット先端がライナの底壁と係合するとしても、流体アクセス可能な空隙を提供する。これは、ピペットが吸引されている間、ピペット先端が先端内で真空を引き起こさないことを意味する。また、それは、実際問題として、先端部がライナの底壁により近接して配置されることができ、且つ／或いはライナの底壁に係合することができ、反真空機構なしにそのように行うときに、より真空係合を引き起こす可能性がより高いことを意味する。ひいては、ピペット先端オリフィスをライナの底壁に極めて近く移動させる或いは係合させる能力を用いて、ピペット操作システムは容器から液体を引き出すことができ、残留容積は有意により少ない。加えて、動作の理論に制約されないで、コロナ処理される表面の親水性は、表面上の液体を自己レベルにさせる一方で、チャネルは、表面上に液体を蓄積させる表面張力構成を提供すると考えられる。その結果、液体は、チャネルのグループの間で表面から自然に引き出され、液体レベルが引き下げられるにつれて、チャネルのグループ内及び上に隔離されたプールを形成する。この現象は、信頼性の高いピペット操作のための最小作動容積を効果的に下げる。これは、高価な、希少な又は小さな試料又は試薬にとって特に重要である。
【００１６】
本発明の他の構成及び利点は、図面及びそれらの以下の記述を検討した後に当業者に明らかになることがある。
【図面の簡単な説明】
【００１７】
【図１】３８４個のピペット操作ヘッド用に構成された本発明の第１の例示的な実施形態に従って構築された実験室貯槽キットである。
【００１８】
【図２】図１に示すキットの組立図である。
【００１９】
【図３】図２に示す実験室貯槽キットの平面図である。図１乃至３のチャネルグループの配置は、３８４個のピペット操作ヘッド用に構成された貯槽内のチャネルグループの配置の例示であるが、グループ内のチャネルの構成については図４が参照されるべきである。
【００２０】
【図４】３８４個のピペット操作ヘッド用に構成された貯槽のチャネルグループにおけるチャネルの構成を示す詳細図である。
【００２１】
【図５】先端オリフィスの下にチャネルを備える貯槽の底壁と係合するピペット先端を示す概略的な断面図である。
【００２２】
【図６】図５の線６−６によって示す領域の詳細図である。
【００２３】
【図７】図１乃至図６に示す実験室貯槽キットの側面図である。
【００２４】
【図８】図１乃至図７に示す実験室貯槽キットの端面図である。
【００２５】
【図９】９６個のピペット操作ヘッド又は３８４個のピペット操作ヘッドのいずれかと共に使用されるように構成され、キットに固定された蓋と組み立てられたキットを示す、本発明の別の例示的な実施形態に従って構築された実験室貯槽キットである。
【００２６】
【図１０】図９に示す実験室貯槽キットの斜視図であり、蓋はキットの残余の構成要素から分解されている。
【００２７】
【図１１】キットに蓋を取り付けるロック機構の相互作用を示す、図９の線１１−１１に沿って取られた詳細な断面図である。
【００２８】
【図１２】周縁シーリングガスケットを示す、図９及び図１０に示す蓋の底面図である。
【００２９】
【図１３】ピペット先端との使用を示す蓋が外されたキットの斜視図である。
【００３０】
【図１４】ライナ及びライナの底壁上の真空防止チャネルを示すために蓋が取り外された、図９乃至図２１に示す実験室貯槽キットの頂面図である。
【００３１】
【図１５】図１４中の線１５−１５によって描写する領域の詳細図である。
【発明を実施するための形態】
【００３２】
図１乃至図８は、本発明の第１の実施形態に従って構築された液体試料及び試薬用の実験室貯槽キット１０(laboratory  reservoir  kit)を例示している。キット１０は、貯槽ベース１２と、使い捨て可能なライナ１４とを含む。図１乃至図８は、例示的なピペット先端１６(pipette  tip)も示している。キット１０は、使い捨て可能なライナ１４が、例えば、図２に示すように、再使用可能な貯槽ベース１２内に配置されるときに、液体試料又は液体試薬を使い捨て可能なライナ１４内に保持するように設計される。キット１０は、１００ｍｌまでの液体試料又は試薬を保持するように設計されるが、使い捨て可能なライナ１４の容量は、実質的な過充填を処理するのに十分である。前述のように、低保持ピペット先端１６の使用は、希少な又は高価な液体試料又は試薬の浪費を最小限に抑えるために貯槽キット１０を使用するときに特に効果的なことがある。
【００３３】
貯槽ベース１２は、使い捨て可能なライナ１４が配置されるバシン１８(窪地部)(basin)を含む。使い捨て可能なライナ１４の輪郭は、再使用可能なベース１２のバシン１８の形状及び輪郭に密接に従う。再使用可能なベース１２上の外側壁２２及び端壁２０は、実験室ベンチトップのような平坦な表面上の貯槽ベース１２及びそのバシン１８のための支持を提供する。貯槽ベース１２を様々な材料で作ることができるが、ベース１２を白色ＡＢＳのような不透明色を有する比較的剛性の射出成形プラスチックで作ることが好ましい。バシン１８の表面は、サテン仕上げを有することが好ましい。他方、上述のように、使い捨て可能なライナ１４は、透明なプラスチックで作られ、約０．５１ｍｍの厚さを有する透明な射出成形ポリスチレン又はポリプロピレンのような研磨された表面（少なくとも側壁及び周縁フランジ）を有することが好ましい。ベース１２内の不透明色のバシン１８上のサテン仕上げとは対照的に、透明なライナの研磨された又は光沢のある表面は、透明なライナ１４を、透明なライナが貯槽ベース１２内に存在するか否かを決定しようとする実験室作業者にとってより目立つものにする。射出成形は、使い捨て可能なライナ１４を製造する好ましい方法である。何故ならば、ライナの厚さがライナを通じて一定であることが望ましいからである。しかしながら、使い捨て可能なライナ１４及び再使用可能なベース１２の両方について他の製造方法及び厚さ仕様が可能な場合があることが認識されるべきである。
【００３４】
使い捨て可能なライナ１４が、例えば、成形ポリスチレン又はポリプロピレンで作られるときには、プラスチック表面をより親水性にするために、成形後にライナをコロナ処理又は他の方法で処理することが望ましく、それはライナ内に残留する少量の液体が底壁の表面でビーズ状になる(bead  up)よりもむしろ平坦になる傾向を有することを意味する。しかしながら、チャネルの毛細管作用は、液体が引き下げられるときに、チャネルグループ(channel  groupings)より上方のプール内に液体を引き込む傾向を有する。少量の液体がビーズ状になる傾向を有するように疎水性表面を提供することは、通常は貯槽又は貯槽ライナからのピペット操作後の残留容積の量を減少させる最良の方法であると当技術分野において一般的に考えられている。本明細書中に記載するような真空防止チャネル(anti-vacuum  channels)の使用するとき、本発明者は、表面をコロナ処理して、表面をより湿潤可能にし且つより親水性にすることにより、液体が均一に広がる傾向を有する表面を提供することが有利であり、チャネルの毛細管作用は、最終ドローダウン(final  draw  down)で効果的なピペット操作に適した液体のプール又はビーズを作るのに関与することを見出した。ピペット先端オリフィスの下方の流体アクセス可能な空隙及び真空防止チャネルを用いるならば、たとえ先端がライナの底面と係合しているとしても、親水性表面は、複数のピペット先端からの吸引のために利用可能なより一層均一な流体分布及び容器からの液体の完全な吸引後のより少ない残留容積を促進する。上述のように、その表面張力が天然水の表面張力である７２ダイン以上になるよう表面を処理することが望ましい。
【００３５】
耐薬品性が望ましい用途のために、使い捨て可能なライナ１４をポリプロピレンで作ることができる。ポリプロピレンライナも、その表面張力が水の表面張力である７２ダイン以上であるよう、同様にコロナ処理されるか或いはその他の方法で処理されるべきである。
【００３６】
再使用可能なベース１２内のバシン１８は、四角形であり、端壁２０の底と側壁２２との間に延在する。四角形のバシン１８は、ＳＢＳフォーマットと互換性があり、３８４個のピペット操作ヘッド又は９６個のピペット操作ヘッドのためのサイズにされる。図１乃至図８に示す使い捨て可能なライナ１４は、３８４個のピペット操作ヘッド用に設計されているが、再使用可能なベース１２内のバシン１８の四角形フットプリントは、使い捨て可能なライナ１４が３８４個のピペット操作ヘッド用に設計されていようが９６個のピペット操作ヘッド用に設計されていようが、同じでなければならない。再使用可能なベース１２内のバシン１８の底壁２４は平坦である。図５を参照すると、使い捨て可能なライナ１４は、ライナ１４の底壁２６が貯槽ベース１２の底壁２４上に位置した状態で、本実施形態における使い捨てライナ１４のベース１２の底壁２４、端壁２０及び長手側壁２２（図１を参照）が使い捨て可能なライナ１４を支持するように、ベース１２内に嵌入するように構成される。図５並びに他の図面に見ることができるように、この実施態様において、使い捨て可能なライナ１４の底壁２６は平坦である。
【００３７】
図２乃至図４を参照すると、使い捨て可能なライナ１４の底壁２６は、真空防止チャネル２８の３８４個のグループのマトリックス(matrix)を含む。真空防止チャネル２８は、液体試料又は液体試薬が使い捨て可能なライナ１４内に保持される容積３０に向かって上方に露出される。ライナ１４の底壁２６は、ＳＢＳフォーマットで配置された３８４個のピペット先端のマトリックス全体が使い捨て可能なライナ１４から液体試料又は液体試薬を吸引するのを可能にするように構成された概ね四角形の形状を有する。使い捨て可能なライナ１４は、ライナ側壁３４及び端壁３６の上端から外向きに延びる周縁フランジ３２を含む。使い捨て可能なライナ１４上の周縁フランジ３２は、使い捨て可能なライナ１４がベース内に配置されるときに、ベース１２の上方リム４０（図１を参照）上に位置するか或いは上方リム４０に僅かに接触してよい。しかしながら、使い捨て可能なライナ１４の底壁２６は、再使用可能なベース１２の底壁２４上に位置しなければならない。周縁フランジ３２は、使い捨て可能なライナ１４をベース１２内に固定するのに役立ち、また、実験室作業者による使い捨て可能なライナ１４の持上げも容易にする。ユーザは、ライナ１４から液体を注ぐ前に、使い捨て可能なライナ１４を再使用可能なベース１２から、例えば、図１に示す位置まで持ち上げることが推奨される。このような注入を容易にするために、使い捨て可能なライナ１４は、各隅に注ぎ口６０を含む。ベース１２の前側壁２２は、ライナ１４がベース１２内に位置するときにユーザがライナ１４を容易に見ることができるように、窓として機能する切欠き領域６９を含む。必ずしも好ましいわけではないが、透明なインサートを窓６９に亘って配置することができる。
【００３８】
液体容積目盛りマーク（６２）が、再使用可能なベース１２の側壁２２に成形又は印刷される。図２、図５及び図７を参照のこと。液体容積目盛りマーク（６２）は、好ましくは、パッド印刷又は任意の他の適切なプロセスを用いて側壁２２に印刷される。ユーザは、ライナ１４がベース１２内に配置されるときに、透き通った透明なライナ１４を通じて側壁上の液体容積目盛りマーク（６２）を見ることができる。図２、図５及び図７は、ベース１２内に配置されたライナ１４を示しており、透明な使い捨て可能なライナ１４を通じてベース１２の側壁２２上の液体容積目盛りマーク（６２）を見ることができることを例示している。図２、図５及び図７において、ベース１２の不透明な表面上のマークが透き通った透明なライナ１４の下に位置することを示すために、液体目盛りマークの参照番号（６２）は、括弧内に置かれている。同様に、参照番号（２２）も、ベース１２の側壁がこれらの図においても透明なライナ１４の下に位置することを示すために括弧内に置かれている。容積インジケータも、ベース１２の側壁（２２）に印刷されてよい。容積インジケータについての値自体は、図面に例示されていないが、１００ｍｌキット１０は、典型的には、関連する容積液体目盛りマークに隣接する２０、４０、６０、８０及び１００の値を含む。キット１０は、ベース１２内の所定の場所に設置される使い捨て可能なライナ１４と共に使用されるように意図されているので、目盛りマーク（６２）の場所は、ベース１２のバシン１８の容積に対してではなく、使い捨て可能なライナが所定の場所にあるときに使い捨て可能なライナ１４内に含まれる液体の容積に対して較正される。ライナ内の液体がそれぞれの容積インジケータの読取りを妨げないように、ベース１２のバシン側壁（２２）上の容積インジケータは、それらが関連付けられる較正された液体容積目盛りマーク（６２）に又は液体容積目盛りマーク上に印刷されることが望ましい。
【００３９】
再び図１を参照すると、ベース１２の底フランジ６４は、ＳＢＳ規格（即ち、ＡＮＳＩ／ＳＬＡＳ  ３−２００４：マイクロプレート−底フランジ外形寸法）に適合する外壁寸法を有する。ＳＢＳ適合性の外壁寸法を有することは、ベース１２が、９６個又は３８４個のピペット操作ヘッドを有する液体処理システム用のプラットフォームネスト内に嵌合し、ピペット先端の各々が少なくとも一般的に真空防止チャネル２８のグループのうちの１つと整列するように整列させられることを意味する。次に、図４を参照すると、真空防止チャネル２８の各グループは、所与のライナに対して類似の構成を有することが望ましい。しかしながら、真空防止チャネルのグループのうちの１つ又はそれよりも多くのグループは、ライナ上の真空防止チャネルの他のグループとは異なる構成を有することが可能である。図４において参照番号２８によって特定されるグループを参照すると、真空防止チャネルの各グループは、中心点６６を有し、図１乃至図８に示すライナ１４は、３８４個のピペット操作ヘッドのためのものであるので、隣接する中心点６６の間の間隔は、ＳＢＳ規格に従った４．５ｍｍである。一例として、図４は、真空防止チャネルのグループのうちの１つのグループの中心点６６と整列させられたピペット先端１６を示している。各グループ２８は、グループ２８のための中心点を定める交差部６６を有する第１のペアの垂直に交差するチャネル６８を含む。図４において、第１のペアの垂直に交差するチャネル６８は、（図４に見られるように）垂直チャネル６８及び水平チャネル６８である。グループ２８は、第１のペアのチャネル６８から４５°回転された第２のペアの垂直チャネル７０を含む。第２のペア内のチャネル７０は、中心点６６で交差するように整列されるが、中心点６６の近傍で中断されている。従って、底壁２６の上面の高さにある不規則な形状のペデスタル７２(pedestal)が、チャネル６８とチャネル７０との間に形成されている。第２のペアのチャネル７０が中心点６６を通じて続くことを許容することは、使い捨て可能なライナ１４が一緒に使用されるように設計された最小サイズのピペット先端の下方遠位端の継続的な下向きの移動を妨げるには大きすぎる直径を有する中心点６６の周りの空隙を作り出す。例えば、１２．５μｌのピペット先端は、０．６１ｍｍの外径及び０．３０ｍｍの内径を有する下方オリフィスを有してよい。チャネル６８、７０の幅及び構成は、０．６１ｍｍのオリフィスが適合するチャネル領域がないように選択されなければならない。チャネル構成も、たとえ先端が中心点６６で又はその付近でライナ１４に対して押し下げられるとしても、０．３０ｍｍの内径を有するオリフィス開口の少なくとも一部分が開放チャネルに亘って架かる(spans)ように、設計されなければならない。例示的な実施形態では、３８４個のピペット操作ヘッドのための図４及び図５に示すチャネルグループ２８について、チャネル６８、７０は、０．５０ｍｍ±０．１０ｍｍの概ね一定の幅を有するが、成形のための抜き勾配(draft
angle)が考慮されなければならない。チャネル６８、７０の深さが一定であること、例えば、０．３０ｍｍ±０．１０ｍｍであることも望ましい。図４において、チャネルグループ２８は、第１のペア６８と第２のペア７０との間に架かる円形チャネル７２も含む。この円形チャネル７２は、ピペット先端の誤配置についてより大きな許容度を提供する。
【００４０】
図５及び図６は、ピペット先端１６が真空防止チャネル２８のグループと整列させられた状態でライナ１２の底壁２６を圧迫する例示的なピペット先端１６と共に使用するキット１０を示している。ピペット先端１６の底は、グループ２８の中心点６６で交差するチャネルと第３のペアのチャネル７４との間でペデスタル７２に押し付けられている。図４参照のこと。ピペット先端１６の内側オリフィスは、ピペット先端１６がライナ１２の底床２６に押し付けられているときでさえも、中心点６６で交差するチャネルの真上に存在する。このようにして、ピペットを操作してピペット先端１６内に液体を吸引するときに、真空は作られない。
【００４１】
図９乃至図１５は、本発明の別の実施形態に従って構築された液体試薬貯槽キット３１０を例示している。貯槽キット３１０は、図１乃至図８に示す使い捨て可能なライナ１４と多くの点で類似する使い捨て可能なライナ３１４を含む。しかしながら、使い捨て可能なライン３１４は、９６個のピペット操作ヘッド及び３８４個のピペット操作ヘッドの両方と共に使用されるように設計される。再び、図面に明らかなように、ライナ３１４の底壁は、真空防止チャネルを除いて平坦である。貯槽キット３１０は、多くの点で図１乃至図８に示す再使用可能なベース１２と類似する再使用可能な貯槽ベース３１２を有する。貯槽キット３１０は、最大１５０ｍＬの液体を保持するように設計されるが、ベース３１２及びライナ３１４の側壁の高さを増大又は減少させることによって３００ｍＬのような他のサイズを作ることができる。キット３１０は、ユーザがライナ３１４に収容される液体を見るのを可能にするように好ましくは透明な蓋３１５も含む。ベース３１２に配置されるロック機構３１７は、ライナ３１４及び任意の収容される液体又は試薬の上の所定の場所に蓋３１５をロックするために使用される。図９乃至図１５は、キット１０の一方の側にある１つのロック機構を概ね例示しているが、別のロック機構がキット１０の他方の側に配置されることが理解されるべきである。ロック機構３１７は、指グリップ３１９と、ベース３１２の側壁にある細長いスロット３２３を通じて取り付けられるラッチアーム３２１とを含む。摺動取付けアーム３２５が、図１１に示すように、細長いスロット３２３内にロック機構３１７を保持する。ロック機構３１７を、図１０の細長いスロット３２３の右側に配置されるロック解除位置から、ラッチアーム３２１上の図１０に示す矢印によって描写するような細長いスロット３２３の最左側位置に配置されるロック位置にスライドさせることができる。図９において、ロック機構３１７は、ロック解除位置とロック位置の中間に示されている。
【００４２】
図１２は、蓋３１５の下面を示している。ガスケット３３７又はシールが、蓋３１５の周縁に配置されている。ガスケット３３７は、任意的な構成である。図１１を参照すると、ガスケット３３７は、蓋３１５が所定の場所にロックされると、ライナ３１４の周縁フランジ３３２を圧迫し、それにより、ライナ３１４の頂部の周囲に円周方向シールを提供する。図面に示すガスケット３３７は、平坦な断面を有する。しかしながら、他のタイプのガスケットが適切なことがある。例えば、段付き断面を有するガスケットを使用するは、より堅牢なシールを提供することができる。階段状断面は、蓋３１５が所定の場所でロックされるときに、ガスケットがライナ３１４の周縁フランジ３３２に圧迫することを可能にするだけでなく、ライナの側壁と周縁フランジ３３２との間の交差部でライナを圧迫することも可能にする。ガスケットが使用されるとき、蓋はポリプロピレンで成形されるのが好ましい。しかしながら、貯槽がロボット式に取り外されることが意図されるならば、ガスケットの使用は望ましくない。ロボット用途において、蓋は、ポリプロピレンよりも剛性のあるポリスチレンで作られ、ガスケットがないことが望ましい。依然として図１１を参照すると、ラッチアーム３２１は上向きに延び、次に、内向きに延びて、蓋３１５の上方リム３３３と係合する。リム３３３は、ロック機構３１７がロック位置に係合されるときにベース３１２への蓋３１５の確実な取付けを容易にする上向きに延びる締付けリップ３３５を含む。例えば、図１０を参照すると、蓋３１５の周縁リム３３３は、ロック機構３１７のロック解除位置に対応する切欠き３３８を有する。ベース３１２は、他の端壁に第２の摺動ロック機構を有する。図に示すように４つの切欠き３３８を含むことは、蓋が両方向に配置されることを可能にする。蓋３１５は、例えば、液体がライナ３１４に貯蔵され、蓋３１５が所定の場所にロックされるときに、キット３１０の安定した積重ねを容易にするように、蓋３１５の上面にガイド隆起部３３９(guide  ridges)も含む。ガイド隆起部は、ベース３１２の下方外壁フランジ３３９内に嵌入するような寸法にされる。前述の実施形態に関して議論したように、ベース３１２の下方外壁フランジ３３９は、自動化又は半自動化されたピペット操作機器との使用を容易にするために、ＳＢＳフォーマットされたネスト内に嵌入する外形寸法を有する。
【００４３】
ライナ２１４の周縁フランジ３３２は、蓋３１５の切欠き３３８に対応する形状及び場所を有する切欠きも含む。ライナ２１４の周縁フランジ３３２にある切欠きは、ライナのフランジが再使用可能なベース３１２の壁の上部に平坦に配置されることを可能にする。ライナ２１４を再使用可能なベース３１２内で平らに保持するために、蓋３１５が所定の場所にないときに、ロック機構３１７をロック位置にスライドさせることができる。ライナ２１４の底を平坦に維持することは、９６個又は３８４個のピペット操作ヘッドを用いてライナ２１４から全ての液体を完全に吸引しようとした後に、保持される液体の容積を減少させる。
【００４４】
次に、図１３乃至図１５を参照すると、ライナ３１４は、９６個のピペット操作ヘッド及び３８４個のピペット操作ヘッドの両方を収容するように設計された真空防止チャネルのグループ３２８を含む。図１３及び図１５は、例示的なピペット先端３１６Ａ、３１６Ｂ、３１６Ｃ、３１６Ｄを示している。ピペット先端３１６Ａ及び３１６Ｂは、３８４個のヘッド上の先端を表し、４．５ｍｍの中心線間隔で離間させられる。ピペット先端３１６Ｃ及び３１６Ｄは、９６個のヘッド上の先端を表し、９ｍｍの中心線間隔で離間させられる。
【００４５】
この実施形態において、真空防止チャネルの一部は、９６個のピペット操作ヘッドのためのグループ３２９と３８４個のピペット操作ヘッドのためのグループ４２９との間で共有される。図１５は、グループ３２９、４２９を詳細に示している。９６個のヘッドについてラベル３２９付けされたグループは、交差する線形チャネル３７０を含む。真空防止チャネル３７０は、それらが９６個のヘッド上のピペット先端のために使用されると予想される領域を越えて延び、３８４個のヘッドのために使用される真空防止チャネルのグループ４２９の一部である。３８４個のヘッドのグループ４２９は、円形チャネルに加えて、水平及び垂直チャネル４７０と、対角チャネル４７２とを含む。３８４個のヘッドのグループの中心点は、参照番号４６６によって指し示されており、３８４個のヘッドのグループについての隣接する中心点の間の距離は、図３に示すように、４．５ｍｍである。９６個のヘッドのグループについての中心点は、参照番号３６６によって指し示されており、隣接する９６個のヘッドのグループ３２９についての中心点３６６の間の距離は、同様に図１５に示されているように、９ｍｍである。この実施形態において、全てのチャネルは、０．５０ｍｍ±０．１０ｍｍの幅（ドラフト角を考慮する一定の幅が望ましい）及び０．３ｍｍ±０．１ｍｍの一定の深さを有する。
【００４６】
図示の実施形態には例示していないが、隣接するグループの間に追加的なチャネルを任意的に配置して、真空防止チャネルの隣接するグループを流体力学的に(fluid  dynamically)接続することができる。このようにして、グループの一部又は全部を直接的又は間接的に流体力学的に接続することができる。毛細管作用は、連結されるチャネル間の流体分布を均一にする傾向を有し、それは、ひいては、複数のピペット先端を用いた信頼性の高いピペット操作のための最小作動容積を減少させることができる。
【００４７】
上述のように、部分的には、図１乃至図８に開示した実施形態に関して記載したように、ユーザがベース３１４の側壁の内面にある目盛りマーク（図示せず）を読み取ることができるように、ライナ３１４は、成形された透明プラスチックで作られるのが望ましい。１つの望ましい実施形態において、ライナ３１４は、成形されたポリスチレン又はポリプロピレンから作られ、プラスチックライナの底壁が、コロナ処理前のポリスチレンライナの底壁と比較して増大された湿潤性を有するように、そして、望ましくは、ライナの底壁の表面張力が天然水の表面張力である約７２ダイン以上であるように、コロナ処理されるか或いは他の方法で処理される。この処理は、図９〜１５に示すように、上記で例示した貯槽キット３１０における使用と共に、死容積(dead  volume)又は残留容積を最小限に抑えるのに特に有効であることが見出された。死容積は、ピペット操作される液体のタイプを含む多くの要因によって変化し得る。コロナ処理されたポリスチレンライナ３１４を有する図９乃至図１５に示す実施形態のために３８４個の１２．５ｍｌの先端を使用する水の測定された死容積は、３ｍｌ未満であり得る。これは、先端の１つが空気を吸引するや否やマルチチャネルピペットにおける吸引サイクルを停止させる一般慣行に従って測定される。次に、各先端に等量の液体があるように、先端吸引空気を含めて、全ての先端から液体が計量分配(ディスペンス)されるまで、ピペットの方向を逆にする。また、あらゆる追加的な液体を放出するために、先端は、発射させられる(touched  off)。もちろん、死容積又は所要最小作動容積を最小限に抑えることは、特定の用途において二次的な目標であることがあるが、本発明は、ライナの底壁に係合するピペット先端の真空の可能性を排除するために依然として有用である。
【００４８】
本発明は、以下の特許請求の範囲の主題によってカバーされる限り、上述の例示的な実施形態に限定されない。
【図１】
2020523562.tif 000003
【図２】
2020523562.tif 000004
【図３】
2020523562.tif 000005
【図４】
2020523562.tif 000006
【図５】
2020523562.tif 000007
【図６】
2020523562.tif 000008
【図７】
2020523562.tif 000009
【図８】
2020523562.tif 000010
【図９】
2020523562.tif 000011
【図１０】
2020523562.tif 000012
【図１１】
2020523562.tif 000013
【図１２】
2020523562.tif 000014
【図１３】
2020523562.tif 000015
【図１４】
2020523562.tif 000016
【図１５】
2020523562.tif 000017
【国際調査報告】
2020523562.tif 000018
2020523562.tif 000019